(57)【特許請求の範囲】
【請求項１】
励磁用巻線が巻装された中空筒状のコイルボビンと、コイルボビンの軸方向と直交する方向における両側面を覆う継鉄と、励磁用巻線への通電により磁化される固定鉄心と、固定鉄心に対向する形で配置されて励磁用巻線への通電が入切されると固定鉄心に吸引されて当接する位置と固定鉄心から離れる位置との間で移動自在な可動鉄心とを備えた電磁石ブロックと、可動鉄心の移動に連動して開閉する接点を有した接点ブロックと、電磁石ブロック及び接点ブロックを収納するケースとを備えた電磁開閉装置であって、ケースには、その一面に外部電源と接続される一対の外部端子を挿通する挿通孔が貫設され、外部端子は、一端部が挿通孔に挿通されて外部電源と接続され、他端部が励磁用巻線を巻き付けることで励磁用巻線と電気的に接続される絡げ部と、電磁石ブロックに取り付けられて電磁石ブロックをケース内壁に当接しないように支持する支持部と、一端部において挿通孔に挿通される方向と直交する方向に突出した係止部とを備えるとともに、一端部が挿通孔に挿通された状態で挿通孔の周縁と当接する当接部を他端部に備え、ケースには、挿通孔の近傍において係止部が係止する被係止部が設けられ、継鉄には、自身と支持部とが接触しないように支持部を通すための切り欠きが設けられたことを特徴とする電磁開閉装置。
【発明の詳細な説明】
【技術分野】
【０００１】
本発明は、パワー負荷用のリレーや電磁開閉器等に好適な電磁開閉装置に関する。
【背景技術】
【０００２】
従来から、この種の電磁開閉装置として、図５に示すように、電磁石ブロック１と接点ブロック２とを合成樹脂などの絶縁材料からなるケース３内に収納したものが提供されている（例えば特許文献１参照）。ケース３は、図６に示すように、略Ｌ字状に形成されたボディ３０と、ボディ３０と対向する面が開口された略箱体のカバー３１とから成る。電磁石ブロック１は、励磁用巻線１０により生じる磁束を通す磁路の一部に、固定鉄心（図示せず）と、固定鉄心に当接する位置と固定鉄心から離れる位置との間で移動可能な可動鉄心（図示せず）とを有しており、励磁用巻線１０への通電が入切されることにより固定鉄心に可動鉄心が接離する。ここにおいて、可動鉄心の移動に連動して接点ブロック２の接点が開閉されるように、可動鉄心には、一対の可動接点（図示せず）が設けられた可動接触子（図示せず）が非磁性材料からなる連結軸（図示せず）を介して連結される。各可動接点には、接点ブロック２の固定端子２０に設けられた固定接点（図示せず）がそれぞれ対向して配置されており、固定鉄心に可動鉄心が当接した状態では、可動接点と固定接点とからなる接点が閉成される。一方、固定鉄心と可動鉄心との間に設けられた復帰ばね（図示せず）のばね力によって可動鉄心が固定鉄心から離間された状態では接点が開放される。また、接点ブロック２の周囲には、図５に示すように、接点ブロック２を挟んで並行に配置される一対の平板状の永久磁石５ａと、永久磁石５ａ及び接点ブロック２を覆う略Ｕ字型のヨーク５が設けられており、これらの磁気作用によって接点の開成時に生じるアークを引き伸ばして遮断性能を向上している。ところで、可動鉄心が固定鉄心に当接する際に、可動鉄心が固定鉄心に衝突することで電磁石ブロック１において振動が生じる。そこで、電磁石ブロック１は、図５に示すように、緩衝部材７を介してケース３に間接的に固定されることで、電磁石ブロック１からケース３に伝播する振動を低減して静音化を図っている。
【０００３】
励磁用巻線１０への通電は、ボディ３０の図５における下面に突設されて一端が外部電源（図示せず）と接続される一対の外部端子４の他端と、電磁石ブロック１に設けられて一端が励磁用巻線１０に接続される一対のコイル端子６の他端とをそれぞれ接続し、外部電源から電力を供給することで行われる。外部端子４は、図７（ａ）に示すように、導電性材料から略Ｌ字状に形成され、一端がコネクタ等に挿入される略矩形状の栓刃４ａとなっており、他端の略矩形状の板部４ｃに略コ字状の嵌合部４ｂが突出して形成されている。該嵌合部４ｂに導電性材料から略矩形状に形成されたコイル端子６の先端部を嵌合し、半田づけすることによって外部端子４及びコイル端子６が機械的且つ電気的に接続される（図７（ｂ）参照）。
【特許文献１】特開平１１−２３２９８６号公報
【発明の開示】
【発明が解決しようとする課題】
【０００４】
ところで、上記従来例では、電磁石ブロック１が緩衝部材７を介してケース３に間接的に固定されているので、電磁石ブロック１が振動する際に、ボディ３０に設けられた外部端子４が固定されたまま電磁石ブロック１に設けられたコイル端子６が振動するために、各端子に応力がかかってしまい、半田が剥がれる等して外部端子４及びコイル端子６が接続不良となる可能性があるという問題があった。
【０００５】
本発明は、上記の点に鑑みて為されたもので、励磁用巻線と外部端子との接続部位における耐振動性を向上することのできる電磁開閉装置を提供することを目的とする。
【課題を解決するための手段】
【０００６】
請求項１の発明は、上記目的を達成するために、励磁用巻線が巻装された中空筒状のコイルボビンと、コイルボビンの軸方向と直交する方向における両側面を覆う継鉄と、励磁用巻線への通電により磁化される固定鉄心と、固定鉄心に対向する形で配置されて励磁用巻線への通電が入切されると固定鉄心に吸引されて当接する位置と固定鉄心から離れる位置との間で移動自在な可動鉄心とを備えた電磁石ブロックと、可動鉄心の移動に連動して開閉する接点を有した接点ブロックと、電磁石ブロック及び接点ブロックを収納するケースとを備えた電磁開閉装置であって、ケースには、その一面に外部電源と接続される一対の外部端子を挿通する挿通孔が貫設され、外部端子は、一端部が挿通孔に挿通されて外部電源と接続され、他端部が励磁用巻線を巻き付けることで励磁用巻線と電気的に接続される絡げ部と、電磁石ブロックに取り付けられて電磁石ブロックをケース内壁に当接しないように支持する支持部と、一端部において挿通孔に挿通される方向と直交する方向に突出した係止部とを備えるとともに、一端部が挿通孔に挿通された状態で挿通孔の周縁と当接する当接部を他端部に備え、ケースには、挿通孔の近傍において係止部が係止する被係止部が設けられ、継鉄には、自身と支持部とが接触しないように支持部を通すための切り欠きが設けられたことを特徴とする。
【発明の効果】
【０００７】
請求項１の発明によれば、ケースには、その一面に外部電源と接続される一対の外部端子を挿通する挿通孔が貫設され、外部端子は、一端部が挿通孔に挿通されて外部電源と接続され、他端部が励磁用巻線を巻き付けることで励磁用巻線と電気的に接続される絡げ部と、電磁石ブロックに取り付けられて電磁石ブロックをケース内壁に当接しないように支持する支持部とを備えたので、外部電源と励磁用巻線との接続を１つの部品で行っているために、電磁石ブロックの振動によって接続不良が生じるのを防ぐことができ、したがって耐振動性を向上することができる。また、従来例のようにコイル端子を別途設ける必要がないので、部品点数を削減してコストを低減することができる。更に、支持部によって電磁石ブロックをケース内壁に当接しないように支持しているので、振動がケースに伝播するのを抑えることができ、したがって装置の静音化を図ることができる。また、外部端子は、一端部において挿通孔に挿通される方向と直交する方向に突出した係止部を備え、ケースには、挿通孔の近傍において係止部が係止する被係止部が設けられたので、外部端子が挿通孔から抜けるのを防止することができる。また、係止部が被係止部に係止することで外部端子の位置決めの役割も果たすので、組立性を向上することができる。また、外部端子は、一端部が挿通孔に挿通された状態で挿通孔の周縁と当接する当接部を他端部に備えたので、当接部が挿通孔の周縁に当接することで外部端子の傾きを防止することができ、したがって支持部による電磁石ブロックの支持をより強固なものにすることができる。また、当接部によって外部端子の位置決めの役割も果たすので、組立性を向上することができる。
【発明を実施するための最良の形態】
【０００８】
以下、本発明の実施形態について図面を用いて説明する。但し、本発明の基本的構成は従来例と同様なので、従来例と共通の部位には従来例と同じ番号を付して説明を省略する。尚、以下の説明では、図１（ａ）における上下を上下方向、左右を前後方向、手前を右方向、奥を左方向と定める。
【０００９】
本実施形態は、図１（ａ）に示すように、電磁石ブロック１及び接点ブロック２をボディ３０及びカバー３１を結合して成るケース３内に収納したもので、ボディ３０の下面の左右両側にそれぞれ貫設された挿通孔（図示せず）に一対の外部端子４がそれぞれ挿通されている（図示では１つ）。
【００１０】
電磁石ブロック１は、図１（ａ）に示すように、励磁用巻線１０が巻装された中空筒状のコイルボビン１１と、コイルボビン１１の前後両端部に設けられた一対の鍔部１１ａ及び左右両側面を覆う継鉄１２とから成る。コイルボビン１１の内部には、上記従来例に示した固定鉄心及び可動鉄心が収納され、これら固定鉄心と可動鉄心は励磁用巻線１０への通電により生じる磁束を通す磁路を継鉄１２と共に形成している。また、コイルボビン１１前端の鍔部１１ａの下端縁には、前方へと突出する略矩形状の壁部１３が一体に形成されており、該壁部１３によって外部端子４と継鉄１２等の外部端子４近傍の金属部分との絶縁を図っている。
【００１１】
外部端子４は、図１（ｂ）に示すように、金属板を折曲して略Ｌ字状に形成され、略矩形状の栓刃４ａと板部４ｃとから成る。栓刃４ａは、ボディ３０の挿通孔に上から挿通することで下端部がケース３の外部に臨むようになっており、該下端部をコネクタ（図示せず）等に挿入することで外部電源と接続される。板部４ｃには、前方向へ突出する略矩形状の絡げ部４０と、後方向へ突出する略矩形状の支持部４１が一体に形成されており、これらは栓刃４ａがボディ３０の挿通孔に挿通された状態において、ボディ３０の下面と上下方向に一定の間隔を空けてケース３内部に配設される。
【００１２】
絡げ部４０には、図示しないが電磁石ブロック１の励磁用巻線１０の一端部が巻き付けられ、外部端子４と励磁用巻線１０とが電気的に接続される。支持部４１は、図１（ａ）に示すように、コイルボビン１１前端の鍔部１１ａの下端側にインサート成形され、栓刃４ａがボディ３０の挿通孔に挿通された状態で電磁石ブロック１をケース３の内壁と当接しないように支持する。尚、継鉄１２のコイルボビン１１前端の鍔部１１ａを覆う部位には、図示しないが切り欠きが設けられており、支持部４１を該切り欠きに通すことで支持部４１と継鉄１２とが接触しないようになっている。
【００１３】
上述のように、外部端子４を外部電源と電気的に接続される栓刃４ａと、励磁用巻線１０と電気的に接続される絡げ部４０を一体に形成した板部４ｃとで構成したので、外部電源と励磁用巻線１０との接続を外部端子４のみで行うことができ、したがって従来例のように電磁石ブロック１の振動によって外部端子４とコイル端子６との接続不良が生じることがないために耐振動性を向上することができる。また、電磁石ブロック１をケース３の内壁と当接しないように支持する支持部４１を板部４ｃと一体に形成したので、電磁石ブロック１の振動がケース３に伝播するのを防ぐことができ、したがって装置の静音化を図ることができる。
【００１４】
ところで、図２（ｂ）に示すように、栓刃４ａの上下方向に沿った両辺において、それぞれ左右方向に突出する係止部４２を設けてもよい。この場合、ボディ３０の挿通孔の近傍に被係止部（図示せず）を穿設し、図２（ａ）に示すように、栓刃４ａがボディ３０の挿通孔に挿通された状態で係止部４２が被係止部に係止されるので、外部端子４が挿通孔から抜けるのを防ぐことができ、さらに外部端子４の位置決めの役割も果たすために組立性を向上することができる。
【００１５】
また、図３（ｂ）に示すように、下方へと突出する当接部４３ａ、４３ｂをそれぞれ板部４ｃと一体に形成してもよい。当接部４３ａ、４３ｂは、何れも略矩形状で、一方の当接部４３ａは板部４ｃの左端部と一体に形成され、他方の当接部４３ｂは板部４ｃの後辺において支持部４１の近傍に一体に形成されている。これら当接部４３ａ、４３ｂは、図３（ａ）に示すように、栓刃４ａがボディ３０の挿通孔に挿通された状態で挿通孔の周縁に当接するので、外部端子４が傾くのを防ぐことができ、したがって支持部４１による電磁石ブロック１の支持をより強固なものにすることができる。また、外部端子４の位置決めの役割も果たすために組立性を向上することができる。
【００１６】
更には、図４（ｂ）に示すように、係止部４２及び当接部４３ａ、４３ｂを何れも外部端子４に設けてもよい。この場合、係止部４２及び当接部４３ａ、４３ｂの何れの効果も奏する。
【図面の簡単な説明】
【００１７】
【図１】本発明の実施形態の電磁開閉装置を示す図で、（ａ）は右側面図で、（ｂ）は外部端子の拡大斜視図である。
【図２】同上の外部端子に係止部を設けた場合を示す図で、（ａ）は右側面図で、（ｂ）は外部端子の拡大斜視図である。
【図３】同上の外部端子に当接部を設けた場合を示す図で、（ａ）は右側面図で、（ｂ）は外部端子の拡大斜視図である。
【図４】同上の外部端子に係止部及び当接部を設けた場合を示す図で、（ａ）は右側面図で、（ｂ）は外部端子の拡大斜視図である。
【図５】従来の電磁開閉装置を示す右側面図である。
【図６】同上の組立斜視図である。
【図７】同上の外部端子及びコイル端子の取付説明図で、（ａ）は取付前を示す図で、（ｂ）は取付後を示す図である。
【符号の説明】
【００１８】
１  電磁石ブロック
２  接点ブロック
３  ケース
４  外部端子
４０  絡げ部
４１  支持部
４２  係止部
４３  当接部
【図１】
0004458063.tif 000002
【図２】
0004458063.tif 000003
【図３】
0004458063.tif 000004
【図４】
0004458063.tif 000005
【図５】
0004458063.tif 000006
【図６】
0004458063.tif 000007
【図７】
0004458063.tif 000008